(57)【要約】【課題】ヒステリシス制御が不安定となる所定の状況でも、適切な出湯を行うことができるハイブリット給湯システムを提供することである。【解決手段】本発明のハイブリット給湯システムは、第１湯沸かし器から湯を出湯させる第１モードと、第２湯沸かし器から出湯さあせる第２モードを有し、いずれか一方を選択する優先動作選択手段を備える。システムの再動作に伴ってコントローラへ電源が投入される毎に、第１モードを一時的に優先動作させることで、第１モードを出発点とするヒステリシス制御を行うことが可能となり、貯湯タンク内の湯温に基づいた安定した出湯制御を行うことができる構成とする。【選択図】図１
2014070767.tif 000002
【特許請求の範囲】
【請求項１】
供給された湯水を加熱して湯を出湯する第１湯沸かし器と、
供給された湯水を加熱して湯を出湯する第２湯沸かし器と、
第１湯沸かし器から出湯される湯を蓄える貯湯タンクと、
使用する湯を、上記貯湯タンクからの湯及び上記第２湯沸かし器からの湯とで切り替える弁と、
上記貯湯タンクの湯温を検出する温度センサと、
上記温度センサで検出する湯温に基づいて、上記弁の切替を制御するコントローラと、
を備え、
上記コントローラは、上記貯湯タンクの湯を使用する第１モードと、上記第２湯沸かし器の湯を使用する第２モードとを有し、
上記貯湯タンクの湯温が予め設定された第１温度を超えた時に第１モードを選択し、検出された湯温が上記第１温度よりも低い第２温度を下回った時に第２モードを選択するように構成され、
上記コントローラは、
所定条件により、上記温度センサが検知する温度による制御に優先して、第１モードを一時的に選択する機能を有することを特徴とするハイブリッド給湯システム。
【請求項２】
上記コントローラは、
電源投入を示す電気信号を受けて、自動的に、上記温度センサが検知する温度による制御に優先して、上記第１モードを選択するように構成されたことを特徴とする請求項１に記載のハイブリッド給湯システム。
【請求項３】
上記コントローラは、
電源投入後、手動操作による入力信号を受けて、上記温度センサが検知する温度による制御に優先して、上記第１モードを選択するように構成されたことを特徴とする請求項１または請求項２に記載のハイブリッド給湯システム。
【請求項４】
上記貯湯タンクは、内部の湯量を検知してこれを示す信号を出力する湯量検知センサを備え、
上記コントローラは、
上記弁で第２モードが選択されている状況で上記貯湯タンクの湯温が第１温度よりも低く、且つ、上記湯量検知センサからの信号を受けて、上記貯湯タンク内の湯量が所定値以上であると判断した時に、上記温度センサが検知する温度による制御に優先して、第１モードを優先的に選択するように設定されたことを特徴とする請求項１乃至３に記載のハイブリッド給湯システム。
【請求項５】
上記第２湯沸かし器は、上記貯湯タンクへ接続される補助路を有し、
上記補助路を介して上記第２湯沸かし器で加熱された湯が上記貯湯タンクへ補給されるように構成され、
上記コントローラは、
上記弁で上記第２モードが選択されている状況で、上記貯湯タンク内の湯温が第１温度よりも低く、且つ、湯量検知センサからの信号を受けて、貯湯タンク内の湯量が所定値以上である場合に、
上記弁を第１モードにするとともに、貯湯タンク内の湯水を第２湯沸し器で加熱して上記貯湯タンクに戻すことを特徴とする請求項１乃至３に記載のハイブリッド給湯システム。
【請求項６】
供給された湯水を加熱して湯を出湯する第１湯沸かし器と、
供給された湯水を加熱して湯を出湯する第２湯沸かし器と、
第１湯沸かし器から出湯される湯を蓄える貯湯タンクと、
使用する湯を、上記貯湯タンクからの湯及び上記第２湯沸かし器からの湯とで切り替える弁と、
上記貯湯タンクの湯温を検出する温度センサと、
上記温度センサで検出する湯温に基づいて、上記弁の切替を制御するコントローラと、
を備え、
上記コントローラは、上記貯湯タンクの湯を使用する第１モードと、上記第２湯沸かし器の湯を使用する第２モードとを有し、
上記貯湯タンクの湯温が予め設定された第１温度を超えた時に第１モードを選択し、検出された湯温が上記第１温度よりも低い第２温度を下回った時に第２モードを選択するように構成され、
上記貯湯タンクは、内部の湯水を再加熱するヒータを有し、
上記コントローラは、
上記弁で第２モードが選択されている状況で、上記貯湯タンクの湯温が第１温度よりも低く、且つ湯量検知センサからの信号を受けて、貯湯タンク内の湯量が所定値以上である場合に、上記ヒータを動作させる構成を有することを特徴とするハイブリッド給湯システム。
【発明の詳細な説明】
【技術分野】
【０００１】
本発明は、２つの湯沸かし源を使用し、２つの湯沸かし源からの湯を出湯点へ選択的に出湯するハイブリッド給湯システムに関するものである。
【背景技術】
【０００２】
特許文献１は、２つの湯沸かし器を併用して出湯点へ所望温度の湯を給湯するハイブリッド給湯システムを開示している。このシステムでは、第１の湯沸かし器で加熱した湯を蓄える貯湯タンクを備え、貯湯タンクからの給湯される湯の温度が所定温度よりも低くなった場合に、第２の湯沸かし器で加熱した湯を給湯タンクへ供給するように構成されている。しかしながら、すぐに高温の湯の給湯が要求される状況では、第１の湯沸かし器で加熱された湯の貯湯タンクへ供給を継続させて、貯湯タンク内の湯温を徐々に上昇させながらも、第２の湯沸かし器で加熱した高温の湯が貯湯タンクを介さずに直接出湯点へ出湯されることが望ましい場合が考えられる。これを実現するためには、貯湯タンクと第２の湯沸かし器とがそれぞれ独自の給湯路を介して出湯点へ接続され、貯湯タンク内の湯温に応じて、貯湯タンクと第２の湯沸かし器との一方から選択的に給湯することが考えられる。この場合の温度に基づく制御としては、第１温度とこれよりも低い第２温度とを設定して、２つの温度を基準にしたヒステリシス制御を行うことで、第２の湯沸かし器と給湯タンクとの間で給湯源が頻繁に入れ替わる現象を防止している。このヒステリシス制御としては、貯湯タンク内の湯温が第１温度よりも高い場合、貯湯タンクからの給湯を行うものとする。第２温度よりも低い場合は、第１湯沸かし器で加熱された湯を貯湯タンクへ供給し続けて貯湯タンク内の湯温を徐々に上昇させながらも、一時的に第２湯沸かし器を稼働させて第２湯沸かし器で加熱された高温の湯を直接給湯させ、貯湯タンクの湯温が第１温度を超えるまで第２湯沸かし器からの給湯を続けるように制御することが一般に考えられる。しかしながら、システムの電源投入時に、第２の湯沸かし器からの給湯が設定されていた状態でこのようなヒステリシス制御が実行された場合、貯湯タンク内の湯水が第１温度未満だったときに、貯湯タンク内の湯水を再沸き上げして第１温度以上にしなければ、給湯タンクからの給湯に切り替われないという不都合が生じる。このときの再沸き上げの開始は、貯湯タンク内の湯水が再沸き上げ動作を開始する温度まで低下するのを待たなければならない。
【先行技術文献】
【特許文献】
【０００３】
【特許文献１】特開２０１１−１７４６８号公報
【発明の概要】
【発明が解決しようとする課題】
【０００４】
本発明は、ハイブリッド給湯システムに上記のヒステリシス制御を適用した時に生じる問題点を解消するためになされたものであり、システムの電源投入時に湯温が所定温度以下であったときに再沸上できない状態が起こることを回避することを技術的課題とする。
【課題を解決するための手段】
【０００５】
本発明は、ハイブリッド給湯システムは、供給された湯水を加熱して湯を出湯する第１湯沸かし器と、供給された湯水を加熱して湯を出湯する第２湯沸かし器と、第１湯沸かし器から出湯される湯を蓄える貯湯タンクとを備える。また、使用する湯を、上記貯湯タンクからの湯及び上記第２湯沸かし器からの湯とで切り替える弁と、上記貯湯タンクの湯温を検出する温度センサと、上記温度センサで検出する湯温に基づいて、上記弁の切替を制御するコントローラとを備える。上記コントローラは、上記貯湯タンクの湯を使用する第
１モードと、上記第２湯沸かし器の湯を使用する第２モードとを有する。上記貯湯タンクの湯温が予め設定された第１温度を超えた時に第１モードを選択し、検出された湯温が上記第１温度よりも低い第２温度を下回った時に第２モードを選択するように構成される。上記コントローラは、所定条件により、上記温度センサが検知する温度による制御に優先して、第１モードを一時的に選択する機能を有することを特徴とする。
【０００６】
上記コントローラは、電源投入を示す電気信号を受けて、自動的に、上記温度センサが検知する温度による制御に優先して、上記第１モードを選択するように構成されることが好ましい。
【０００７】
上記コントローラは、電源投入後、手動操作による入力信号を受けて、上記温度センサが検知する温度による制御に優先して、上記第１モードを選択するように構成されることが好ましい。
【０００８】
上記貯湯タンクは、内部の湯量を検知してこれを示す信号を出力する湯量検知センサを備える。上記コントローラは、上記弁で第２モードが選択されている状況で上記貯湯タンクの湯温が第１温度よりも低く、且つ、上記湯量検知センサからの信号を受けて、上記貯湯タンク内の湯量が所定値以上であると判断した時に、上記温度センサが検知する温度による制御に優先して、第１モードを優先的に選択するように設定されることが好ましい。
【０００９】
上記第２湯沸かし器は、上記貯湯タンクへ接続される補助路を有し、上記補助路を介して上記第２湯沸かし器で加熱された湯が上記貯湯タンクへ補給されるように構成される。上記コントローラは、上記弁で上記第２モードが選択されている状況で、上記貯湯タンク内の湯温が第１温度よりも低く、且つ、湯量検知センサからの信号を受けて、貯湯タンク内の湯量が所定値以上である場合に、上記弁を第１モードにするとともに、貯湯タンク内の湯水を第２湯沸し器で加熱して上記貯湯タンクに戻すことが好ましい。
【００１０】
本発明は、ハイブリッド給湯システムは、供給された湯水を加熱して湯を出湯する第１湯沸かし器と、供給された湯水を加熱して湯を出湯する第２湯沸かし器と、第１湯沸かし器から出湯される湯を蓄える貯湯タンクとを備える。また、使用する湯を、上記貯湯タンクからの湯及び上記第２湯沸かし器からの湯とで切り替える弁と、上記貯湯タンクの湯温を検出する温度センサと、上記温度センサで検出する湯温に基づいて、上記弁の切替を制御するコントローラとを備える。上記コントローラは、上記貯湯タンクの湯を使用する第１モードと、上記第２湯沸かし器の湯を使用する第２モードとを有する。上記貯湯タンクの湯温が予め設定された第１温度を超えた時に第１モードを選択し、検出された湯温が上記第１温度よりも低い第２温度を下回った時に第２モードを選択するように構成される。上記貯湯タンクは、内部の湯水を再加熱するヒータを有する。上記コントローラは、上記弁で第２モードが選択されている状況で、上記貯湯タンクの湯温が第１温度よりも低く、且つ湯量検知センサからの信号を受けて、貯湯タンク内の湯量が所定値以上である場合に、上記ヒータを動作させる構成を有することが好ましい。
【発明の効果】
【００１１】
ハイブリッド給湯システムにヒステリシス制御を適用した時に生じる問題点、すなわち、システムの電源投入時に湯温が所定温度以下であったときに再沸上できない状態が起こることを回避できる。
【図面の簡単な説明】
【００１２】
【図１】本発明の第１実施形態に係るハイブリット給湯システムのシステム構成を示す概略図。
【図２】上のシステムの動作を示すフロー図。
【図３】本発明の第２実施形態に係るハイブリット給湯システムのシステム構成を示す概略図。
【図４】上のシステムの動作を示すフロー図。
【図５】本発明の第３実施形態に係るハイブリット給湯システムのシステム構成を示す概略図。
【図６】上のシステムの動作を示すフロー図。
【図７】本発明の第４実施形態に係るハイブリット給湯システムのシステム構成を示す概略図。
【図８】上のシステムの動作を示すフロー図。
【図９】本発明の第５実施形態に係るハイブリット給湯システムのシステム構成を示す概略図。
【図１０】上のシステムの動作を示すフロー図。
【発明を実施するための形態】
【００１３】
（第１実施形態）
本発明の第１の実施形態に係るハイブリッド給湯システムを、図１に基づいて、説明する。給湯システムは、第１湯沸かし器１０と、第２湯沸かし器２０と、第１湯沸かし器１０で加熱された高温の湯を蓄える貯湯タンク３０とを備える。第１湯沸かし器１０としては電気をエネルギー源とするヒートポンプ式の湯沸かし器が使用され、第２湯沸かし器２０は、ガスをエネルギー源とする燃焼式の湯沸かし器が使用される（以下、第１湯沸かし器１０をヒートポンプ湯沸かし器１０、第２湯沸かし器２０を燃焼式湯沸かし器２０と記載する）。ヒートポンプ湯沸かし器１０は、貯湯タンク３０内の湯温を検出する温度センサ３２からの出力に基づいて、貯湯タンク３０内の湯温が所定の温度に維持されるように常時動作される。
【００１４】
ヒートポンプ湯沸かし器１０は、炭酸ガスを熱媒体としてこれを圧縮・膨張させるサイクルを繰り返すことで発生する熱との熱交換によって、貯湯タンク３０との間で循環する湯水を加熱するように構成され、熱媒体の圧縮・膨張を繰り返す媒体循環路と、貯湯タンク３０からの湯水を取り込んで熱媒体との間の熱交換を行っては加熱された湯を貯湯タンク３０へ返送する水循環路を備える。
【００１５】
貯湯タンク３０は、第１給水路４１で給水源に接続され、第１給水路４１から供給される水や貯湯タンク３０内の下部の水をヒートポンプ湯沸かし器１０に内臓されるポンプを使用することで循環させ、一定量の加温された湯を貯湯タンク３０へ蓄える。貯湯タンク３０には、湯量検知センサ３４が備えられる。この貯湯タンク３０は密閉式のタンクであり、タンク内の水圧によって内部の湯を出湯点５０へ供給する。
【００１６】
貯湯タンク３０はその上部から延出する第１給湯路５１を介して出湯点５０に接続される。第１給湯路５１には第１弁５３が設けられ、第１弁５３が開かれた時に、貯湯タンク３０からの湯が出湯点５０から出湯可能とされる。出湯点５０には、例えば、カランなどの器具が設けられる。
【００１７】
燃焼式湯沸かし器２０は、ガスを燃焼させることで、供給された水を加熱して出湯するもので、貯湯タンク３０の下部へ第２給水路４２を介して接続される。第２給水路４２にはポンプ４４が備えられ、燃焼式湯沸かし器２０が稼働する際は、ポンプ４４を動作させて貯湯タンク３０の下部から取り込む水を加熱した湯を作り出す。燃焼式湯沸かし器２０は、第２給湯路５２を介して出湯点５０に接続され、第２給湯路５２には第２弁５４が設けられ、第２弁５４が開かれた時に、燃焼式湯沸かし器２０からの湯が出湯点５０に出湯される。燃焼式湯沸かし器２０の動作開始と停止は、内蔵される電気回路によって制御される。
【００１８】
上記のシステムは、貯湯タンク３０内に湯温に基づいて第１弁５３と第２弁５４とをそれぞれ開閉制御するコントローラ６０を備える。このため、貯湯タンク３０には、内部に蓄えられる湯温を検出する温度センサ３２が設けられ、コントローラ６０にはこの温度センサ３２から出力される温度に依存するヒステリシス制御を行うヒステリシス制御手段６４を備える。ヒステリシス制御手段６４は、予め規定した第１温度、例えば、８０℃と、これよりも低い第２温度、例えば、５０℃を基準値として記憶し、第１弁５３を開き第２弁５４を閉じる第１モードと、第２弁５４を開き第１弁５３を閉じる第２モードを制御出力として備えている。ヒステリシス制御は、貯湯タンク３０内の湯温が第１温度（８０℃）を超えた時に第１モードを選択し、検出された湯温が第２温度（５０℃）を下回った時に第２モードを選択するように構成される。第２モードを規定する制御信号は、第２弁５４を開く直前に、燃焼式湯沸かし器２０での加熱動作を開始させるように構成される。
【００１９】
コントローラ６０には、ヒステリシス制御手段６４の動作に優先させて、第１モードを一時的に選択する優先動作選択手段６２を有し、電源スイッチ７０の投入、すなわち、コントローラ６０への電源投入を示す信号を受けて、第１モードを一時的に選択するように構成される。すなわち、システムが停止した後に、最初に電源を投入した時には、必ず、第１モードが選択されて、貯湯タンク３０内の湯温に関係なく、貯湯タンク３０からの湯が出湯される。
【００２０】
以下に、本実施形態の動作を、図２に基づいて説明する。電源スイッチ７０は、オン操作されると、コントローラ６０に電源投入の信号を送信する。
【００２１】
電源投入の信号を受信すると、コントローラ６０の優先動作選択手段６２は、コントローラ６０のヒステリシス制御手段６４より優先的に、第１弁５３及び第２弁５４に第１モードの信号を伝送して、第１弁５３を開き、第２弁５４を閉じる。
【００２２】
その後、ヒステリシス制御手段６４は、温度センサ３２から受信した温度信号を基に、弁の切替を制御する。温度センサ３２から８０度を上回る信号を受信すると、ヒステリシス制御手段６４は第１弁５３を開き第２弁５４を閉じる第１モードを維持する信号を伝送する。８０度未満かつ５０度を上回る信号を受けると、ヒステリシス制御手段６４は、８０度を上回る場合と同様に第１モードの信号を維持する。８０度未満且つ５０度を下回る信号を受けると、ヒステリシス制御手段６４は第２モードを第１弁５３及び第２弁５４に伝送して、第１弁５３を閉じ、第２弁５４を開き、第２湯沸かし器２０を動作させて、ここで加熱した湯を出湯点５０に供給する。尚、第２モードで、燃焼式湯沸かし器２０で沸かした湯を出湯点５０に送湯している間でも、ヒートポンプ湯沸かし器１０は貯湯タンク３０内の湯を８０度以上の所定の温度迄加熱する動作が維持される。
【００２３】
弁状態が第１モードの場合、湯温が５０度を上回るのであれば、第１モードが維持される。この場合、貯湯タンク３０内の湯を出湯点５０に送湯可能となり、湯の消費量に応じて、ヒートポンプ湯沸かし器１０が動作して、消費される湯量が補われる。湯温が５０度を下回るのであれば、第２モードへの切替が行われる。この場合、出湯点５０には、燃焼式湯沸かし器２０で沸かされた湯が送湯される一方、ヒートポンプ湯沸かし器１０は貯湯タンク３０内の湯温が８０度を上回るように加熱動作を続ける。
【００２４】
弁状態が第２モードの場合、貯湯タンク３０内の湯温が８０度を上回ると、第１モードへの切り替えが行われ、貯湯タンク３０内の湯が出湯点５０に送湯される。湯温が８０度を下回るのであれば、湯温が８０度を上回るまで、第２モードのまま駆動する。第２モードの状態で、電源が切断されると、第１弁５３が閉じ、第２弁５４が開いた状態が維持されたままとなるが、ヒートポンプ湯沸かし器１０の自律的な加熱動作は維持される。この
ため、次に、電源が投入された時には、貯湯タンク３０内の湯が５０度以上に加熱されていて、本来は第１モードでの出湯動作とされるべきである状況なのに、第２モードの出湯から開始されることになる場合がある。このため、電源の投入時は、第１モードを初期モードとすることにより、貯湯タンク３０からの出湯を優先させ、その後は、貯湯タンク３０内の湯温に基づくヒステリシス制御が行われる。このため、貯湯タンク３０内の湯が５０度以上であるにもかかわらず、第２モードから開始されることがなく、湯温に応じた安定した出湯制御が可能となる。
【００２５】
（第２の実施形態）
図３は、本発明の第２の実施形態を示す。この実施形態では、優先動作選択手段６４が、外部に設けたセレクタ７１からの信号によって、電源スイッチ７０の投入を示す信号に代えて、初期モードとして、第１モードを選択するように構成される。その他の、構成及び動作は第１実施形態と同一であり、重複した説明は割愛する。
【００２６】
以下、本実施形態の動作を図４のフロー図に基づいて説明する。電源スイッチ７０を投入後、セレクタ７１をオンにすると、セレクタ７１は一時的にオン信号を優先動作選択手段６２に伝送する。オン信号を受信すると、優先動作選択手段６２は、ヒステリシス制御手段６４より優先的に第１モードを選択して、貯湯タンク３０からの出湯を可能とする初期モードを設定する。その後は、セレクタ７１からの入力信号が送信されないことで、優先動作選択手段６２に代えて、ヒステリシス制御手段６４が制御動作を行い、第１実施形態と同様な、温度に依存したヒステリシス制御を行う。
【００２７】
（第３の実施形態）
図５は、本発明の第３の実施形態を示す。この実施形態では、貯湯タンク３０に湯量検知センサ３４を備え、温度センサ３２に加えて湯量検知センサ３４のデータに基づいて、弁の切替制御を行うように給湯システムが構成される。その他の構成及び動作は第１の実施形態と同一であるため、重複する説明を割愛する。
【００２８】
本実施形態における優先動作選択手段６２は、第２モードが選択されている状況、すなわち、第１弁５３が閉じて貯湯タンク３０からの出湯が禁止され、第２弁５４が開いて第２湯沸かし器２０からの出湯が準備されている状況。さらに、貯湯タンク３０内の湯温が８０度よりも低く、且つ、貯湯タンク３０内の湯量が所定値以上、いわゆる満タンであると判断された時に、ヒステリシス制御手段６４に優先して、図６のフロー図で示すように、第１モードを選択するように設定される。貯湯タンク３０内の湯温が８０度よりも低くいが、貯湯タンク３０内の湯量が所定値より少ない場合は、貯湯タンク３０内の湯温に基づくヒステリシス制御が行われ、貯湯タンク３０内の湯温が８０度を超えるまで、第２モードが維持される。このため、貯湯タンク３０内の湯量が所定値よりも多い場合、すなわち、満タンである場合は、貯湯タンク３０からの出湯を優先することができ、無駄に燃焼式湯沸かし器２０を動作させることを無くすことができる。
【００２９】
（第４の実施形態）
図７と図８は、本発明の第４の実施形態の構成とその動作フローを示す。この実施形態では、第２弁５４として三方弁を使用し、ある状況においては、燃焼式湯沸かし器２０で加熱した湯を、出湯点５０へでは無く、貯湯タンク３０へ補給するように構成される。その他の構成及び動作は、第１の実施形態と同一であるため、重複した説明を割愛する。
【００３０】
第２弁５４は三方弁で構成され、第２湯沸かし器２０からの湯を出湯点５０へ供給する第１の状態と、ヒートポンプ湯沸かし器１０からの湯を貯湯タンク３０へ補給する第２の状態とが選択されるように構成される。この実施形態における優先動作選択手段６２は、第２モードが選択されている状況、すなわち、燃焼式湯沸かし器２０を稼働させている状
況。且つ、貯湯タンク３０内の湯温が８０℃よりも低く、且つ貯湯タンク３０内の湯量が所定値以上（満タン）である場合に、第１弁５３を開いて、貯湯タンク３０からの給湯を可能としながら、第２弁５４を第２の状態に切替えて、燃焼式湯沸かし器２０から補給路５８を介して湯を貯湯タンク３０へ補給するように構成される。その他の状況では、ヒステリシス制御手段６４によって、貯湯タンク３０内の湯温に基づいて、第１弁５３を開いてヒートポンプ湯沸かし器１０から出湯を行う動作と、第２弁５４を第１状態として燃焼式湯沸かし器２０からの出湯を行う動作を切り替える。
（第５の実施形態）
図９は、本発明の第５の実施形態を示す。本実施形態では、貯湯タンク３０内に湯量検知センサ３４に加えてヒータ３５が設けられ、ある状況においては、ヒータ３５を動作させて貯湯タンク３０内の湯を加熱するようにシステムが構成される。その他の構成及び動作は、第１の実施形態と同一であるため、重複した説明を割愛する。
【００３１】
本実施形態における優先動作制御手段６２は、第２モードが選択されている状況、すなわち、燃焼式湯沸かし器２０を稼働させている状況で、貯湯タンク３０内の湯温が８０℃よりも低く、且つ貯湯タンク３０内の湯量が所定値以上（満タン）である場合に、上記のヒータ３５を動作させるように構成される。その他の状況では、ヒータ３５の動作を停止させ、図１０のフロー図に示すように、ヒステリシス制御手段６４によって、貯湯タンク３０内の湯温に基づいて、第１弁５３を開いてヒートポンプ湯沸かし器１０から出湯を行う動作と、第２弁５４を開いて燃焼式湯沸かし器２０からの出湯を行う動作を切り替える。
【００３２】
尚、上述の実施形態では、第１温度を８０℃、第２温度を５０℃として説明したが、本発明はこの温度に限定されるものではなく、状況に応じて任意の温度が設定されるものであり、これらの温度は、ヒステリシス制御手段６４を構成するメモリに格納される。
【００３３】
また、上述の実施形態では、燃焼式湯沸かし器２０が貯湯タンク３０を介して給水源に接続した例を示したが、本発明は必ずしもこの形態に限定されるものではなく、燃焼式湯沸かし器２０を直接給水源に接続するようしてもよい。
【産業上の利用可能性】
【００３４】
本発明のハイブリッド給湯システムは、第１湯沸かし器で加熱されて貯湯タンク内に貯えられた湯と、第２湯沸かし器で加熱された湯とを、効率的に選択して出湯させることができる。
【符号の説明】
【００３５】
１０  第１湯沸かし器（ヒートポンプ湯沸かし器）
２０  第２湯沸かし器（燃焼式湯沸かし器）
３０  貯湯タンク
３２  温度センサ
３４  湯量検知センサ
３５  ヒータ
５３  第１弁（弁）
５４  第２弁（弁）
５８  補給路
６０  コントローラ
【図１】
2014070767.tif 000003
【図２】
2014070767.tif 000004
【図３】
2014070767.tif 000005
【図４】
2014070767.tif 000006
【図５】
2014070767.tif 000007
【図６】
2014070767.tif 000008
【図７】
2014070767.tif 000009
【図８】
2014070767.tif 000010
【図９】
2014070767.tif 000011
【図１０】
2014070767.tif 000012